(57)【要約】【課題】安価に製造でき、作業者の感電を防止できる直管形ＬＥＤランプを提供する。【解決手段】直管形ＬＥＤランプ１０は、長手方向の一端に設けられる一方の端子１、２と、長手方向の他端に設けられる他方の端子３、４と、一方の端子１、２又は他方の端子３、４から入力した入力電流を整流する整流回路１２Ａ、１２Ｂと、整流回路１２Ａ、１２Ｂによって整流された電流によって発光する発光ダイオードＬＥＤと、一方の端子１，２と他方の端子３、４との間に設けられ、所定の電圧以上の電圧が印加された場合に発光ダイオードＬＥＤに通電し、所定の電圧未満の電圧が印加された場合に発光ダイオードＬＥＤへの通電を制限する通電制御回路Ｚ１、ＲＹ１、ＲＹ２、ＲＹ３と、を備える。【選択図】図２
2016134195.tif 000002
【特許請求の範囲】
【請求項１】
長手方向の一端に設けられる一方の端子と、
長手方向の他端に設けられる他方の端子と、
前記一方の端子又は前記他方の端子から入力した入力電流を整流する整流回路と、
前記整流回路によって整流された電流によって発光する発光ダイオードと、
前記一方の端子と前記他方の端子との間に設けられ、所定の電圧以上の電圧が印加された場合に前記発光ダイオードに通電し、前記所定の電圧未満の電圧が印加された場合に前記発光ダイオードへの通電を制限する通電制御回路と、
を備える直管形ＬＥＤランプ。
【請求項２】
前記一方の端子は、第１の端子と第２の端子を備え、
前記通電制御回路は、
前記第１の端子に一端を接続し、前記第２の端子に他端を接続し、前記所定の電圧以上の電圧が印加された場合に前記整流回路を介して前記発光ダイオードに通電し、前記所定の電圧未満の電圧が印加された場合に前記発光ダイオードへの通電を制限する電流制限素子である請求項１に記載の直管形ＬＥＤランプ。
【請求項３】
前記一方の端子は、第１の端子と第２の端子を備え、
前記通電制御回路は、
前記第１の端子と前記整流回路との間に設けられる第１のリレースイッチと、
前記第２の端子と前記整流回路との間に設けられる第２のリレースイッチと、
前記第１の端子に一端を接続し、前記第２の端子に他端を接続し、前記所定の電圧以上の電圧が印加された場合に前記第１のリレースイッチ及び前記第２のリレースイッチを短絡するリレーコイルと、
を備えるリレーである請求項１に記載の直管形ＬＥＤランプ。
【請求項４】
前記第１のリレースイッチに並列に接続される第１のコンデンサと、
前記第２のリレースイッチに並列に接続される第２のコンデンサと、
をさらに備える請求項３に記載の直管形ＬＥＤランプ。
【請求項５】
前記他方の端子は、第３の端子と第４の端子を備え、
前記第１の端子と前記第３の端子とを接続する第１の抵抗と、
前記第１の端子と前記第４の端子とを接続する第２の抵抗と、
前記第２の端子と前記第３の端子とを接続する第３の抵抗と、
前記第２の端子と前記第４の端子とを接続する第４の抵抗と、
をさらに備える請求項３に記載の直管形ＬＥＤランプ。
【請求項６】
前記第１の端子と前記第２の端子に接続する第１の発光素子と、一端が前記第１の端子に接続し、他端が前記リレーコイルの入力端子に接続する第１の受光スイッチと、を具備する第１のフォトカプラと、
前記第３の端子と前記第４の端子に接続する第２の発光素子と、一端が前記リレーコイルの出力端子に接続し、他端が前記第４の端子に接続する第２の受光スイッチと、を具備する第２のフォトカプラと、
をさらに備える請求項５に記載の直管形ＬＥＤランプ。
【発明の詳細な説明】
【技術分野】
【０００１】
本発明は、直管形ＬＥＤランプに関する。
【背景技術】
【０００２】
近年、既存の蛍光灯用の安定器に設置する直管形ＬＥＤ（ｌｉｇｈｔ  ｅｍｉｔｔｉｎｇ  ｄｉｏｄｅ）ランプが用いられている。この直管形ＬＥＤランプは、直管形型の蛍光灯と形状が同じになるように構成され、従来の蛍光灯用の安定器を工事せずにそのまま使用できる。
【０００３】
しかし、作業者が直管形ＬＥＤランプを従来の蛍光灯用安定器に設置する際、片方の端子を蛍光灯用安定器のソケットに差し込み、もう片方の端子を手で触れた場合、作業者に電流が流れる危険がある。
【０００４】
この点に関し、直管形ＬＥＤランプの端子を支持する口金部に押圧すると通電するスイッチを設ける技術が提案されている（例えば、特許文献１）。
【０００５】
しかし、この技術によっては、作業者が誤ってスイッチを手で押したまま直管形ＬＥＤランプをソケットに差し込んだ場合、作業者に電流が流れる可能性がある。
【０００６】
また、スイッチと制御回路とを備え、制御回路が、端子間がオープン状態かショート状態かを判定し、ショート状態であると判定した場合にスイッチをＯＮしてＬＥＤに通電する技術が提案されている（例えば、特許文献２）。
【０００７】
しかし、この技術によっては、回路規模が大きくなり製造コストが高くなる。
【発明の概要】
【発明が解決しようとする課題】
【０００８】
本発明は上記の問題に鑑み、回路規模の拡大やコスト増大の問題を抑制しつつランプ交換時の安全性を高めることができる直管形ＬＥＤランプを提供することを目的とする。
【課題を解決するための手段】
【０００９】
上記課題を解決するための本発明は、長手方向の一端に設けられる一方の端子と、長手方向の他端に設けられる他方の端子と、一方の端子又は他方の端子から入力した入力電流を整流する整流回路と、整流回路によって整流された電流によって発光する発光ダイオードと、一方の端子と前記他方の端子との間に設けられ、所定の電圧以上の電圧が印加された場合に発光ダイオードに通電し、所定の電圧未満の電圧が印加された場合に発光ダイオードへの通電を制限する通電制御回路と、を備える直管形ＬＥＤランプを提供する。
【発明の効果】
【００１０】
本発明によれば、回路規模の拡大やコスト増大の問題を抑制しつつランプ交換時の安全性を高めることができる直管形ＬＥＤランプを提供することができる。
【図面の簡単な説明】
【００１１】
【図１】直管形ＬＥＤランプの外観図である。
【図２】第１の実施形態の直管形ＬＥＤランプの回路構成を示す図である。
【図３】ＡＣ直結片側給電の点灯方式の場合の電流経路を示す図である。
【図４】グロー方式の場合の電流経路を示す図である。
【図５】ラピッド方式の場合の電流経路を示す図である。
【図６】インバータ方式の場合の電流経路を示す図である。
【図７】第２の実施形態のラピッド方式用の直管形ＬＥＤランプの回路構成を示す図である。
【図８】直管形ＬＥＤランプの両方の口金が正しくソケットに差し込まれた場合を示す図である。
【図９】グロー方式用の直管形ＬＥＤランプの応用例を示す図である。
【図１０】第３の実施形態のグロー方式用の直管形ＬＥＤランプの応用例を示す図である。
【発明を実施するための形態】
【００１２】
以下、本発明の一実施形態に係る直管形ＬＥＤランプについて図面を参照しながら説明する。
【００１３】
図１は、本実施形態の直管形ＬＥＤランプ１０の外観図である。図１に示すように、直管形型ＬＥＤランプ１０は、長手方向の一端に第１の端子１及び第２の端子２を備える第１の口金１１Ａと、長手方向の他端に第３の端子３及び第４の端子４を備える第２の口金１１Ｂと、を備える。
【００１４】
第１の口金１１Ａと、第２の口金１１Ｂとの間にはＬＥＤ（ｌｉｇｈｔ  ｅｍｉｔｔｉｎｇ  ｄｉｏｄｅ：発光ダイオード）及び回路部が格納される発光部が設けられる。
【００１５】
直管形ＬＥＤ１０は、従来の蛍光灯用安定器のソケットに各端子を差し込むことにより発光させることができる。
【００１６】
（第１の実施形態）
図２は、本実施形態の直管形ＬＥＤランプ１０の回路構成を示す図である。図２に示すように、直管形ＬＥＤランプ１０は、第１の端子１及び第２の端子２を備える第１の口金１１Ａと、第３の端子３及び第４の端子４を備える第２の口金１１Ｂと、を備える。
【００１７】
また、直管形ＬＥＤランプ１０は、電流制限素子Ｚ１と、リレーと、第１のコンデンサＣ１と、第２のコンデンサＣ２と、第１の整流回路１２Ａと、第２の整流回路１２Ｂと、ＬＥＤアレイＬＥＤと、を備える。直管形ＬＥＤランプ１０は、通電制御回路としての電流制限素子Ｚ１と、リレーと、を直管形ＬＥＤランプ１０の長手方向の一端に設けられる一方の端子である第１の端子１及び第２の端子２と第１の整流回路１２Ａ及び第２の整流回路１２Ｂとの間に備える。
【００１８】
電流制限素子Ｚ１は、一端が第１の端子１に接続され、他端が第２の端子２に接続される。電流制限素子Ｚ１は、所定の電圧である閾値電圧Ｚ以上の電圧が印加されると電流を流す素子である。電流制限素子Ｚ１は、例えば新電元工業株式会社製のサイダック（登録商標）を使用することができる。
【００１９】
閾値電圧Ｚは、リレーコイルＲＹ１が破損しない電圧＞閾値電圧Ｚ＞リレースイッチの動作電圧＞端子を介して通電する場合の電圧、の関係を満たす値である。
【００２０】
リレーは、リレーコイルＲＹ１が電流制限素子Ｚ１と並列に接続され、第１のリレースイッチＲＹ２が第１の端子１と第１の整流回路１２Ａとの間に設けられ、第２のリレースイッチＲＹ３が第２の端子２と第１の整流回路１２Ａとの間に設けられる。リレーコイルＲＹ１に通電されると第１のリレースイッチＲＹ２と、第２のリレースイッチＲＹ３がＯＮされ、通電が終了すると第１のリレースイッチＲＹ２と、第２のリレースイッチＲＹ３がＯＦＦされる。
【００２１】
第１のコンデンサＣ１は第１のリレースイッチＲＹ２と並列に、第２のコンデンサＣ２は第２のリレースイッチＲＹ３と並列に接続される。
【００２２】
第１の整流回路１２Ａは、例えばブリッジ回路を用いることができ、第１の端子１と、第２の端子２に接続される。第１の整流回路１２Ａの出力はＬＥＤアレイＬＥＤのアノードに接続される。
【００２３】
第２の整流回路１２Ｂは、例えばブリッジ回路を用いることができ、第３の端子３と、第４の端子４に接続される。第２の整流回路１２Ｂの出力はＬＥＤアレイＬＥＤのアノードに接続される。
【００２４】
ＬＥＤアレイＬＥＤのカソードは、第１の整流回路１２Ａの入力及び第２の整流回路１２Ｂの入力に接続される。
【００２５】
第２の端子２と第３の端子３との間にはグローランプのソケットに装着され、第２の端子２と第３の端子３とをショートするアタッチメントＧが設けられる。
【００２６】
次に、本実施形態の直管形ＬＥＤランプ１０の動作について説明する。直管形ＬＥＤランプ１０は、設置される蛍光灯用安定器の点灯方式の種類によって動作が異なる。
【００２７】
（ＡＣ直結）
図３は、ＡＣ直結片側給電の点灯方式の場合の電流経路を示す図である。図３に示すように、第３の端子３から供給される電流は、第２の整流回路１２Ｂを介して、ＬＥＤアレイＬＥＤのアノードに供給され、ＬＥＤアレイＬＥＤのカソードから第２の整流回路１２Ｂを介して第４の端子４に流れる。
【００２８】
この場合、第３の端子３及び第４の端子４にのみ給電されるため、電流制限素子Ｚ１及びリレーコイルＲＹ１には電圧が印加されない。電流制限素子Ｚ１及びリレーを含む通電制御回路が無くても作業者に電流が流れる恐れはない。
【００２９】
（グロー方式）
図４は、グロー方式の場合の電流経路を示す図である。図４に示すように、グロー方式の場合、電流は第１の口金１１Ａのいずれかの端子と、第２の口金１１Ｂのいずれかの端子に供給される。ここでは、第１の端子１から第４の端子４に電流が流れる場合を例に説明する。
【００３０】
（１）両方の口金が正しくソケットに差し込まれた場合。
【００３１】
第１の端子１から入力した電流は、電流制限素子Ｚ１に流れる。ここで、入力電圧が閾値電圧Ｚより大きくなるように閾値電圧Ｚが選択されるため、電流制限素子Ｚ１は電流を流す。この電流はアタッチメントＧを介して第２の整流回路１２ＢからＬＥＤアレイＬＥＤのアノードに流れる。ＬＥＤアレイＬＥＤのカソードから出力した電流は第２の整流回路１２Ｂを介して第４の端子４に至る。従って、この場合直管形ＬＥＤランプ１０は発光する。
【００３２】
（２）一方の口金の端子がソケットに差し込まれ、他方の端子はソケットに差し込まれていない場合。
【００３３】
この場合、電流制限素子Ｚ１に閾値電圧未満の電圧しかかからないため、電流制限素子Ｚ１は電流を流さない。従って、ランプ交換時の安全性を高めることができる。
【００３４】
（ラピッド方式）
図５は、ラピッド方式の場合の電流経路を示す図である。図５に示すように、ラピッド方式の場合、第１の端子１、第２の端子２、第３の端子３、及び第４の端子４に対して給電される。
【００３５】
（１）両方の口金が正しくソケットに差し込まれた場合。
【００３６】
第１の端子１から入力した電流は、第１のリレースイッチＲＹ１、第１の整流回路１２Ａ、ＬＥＤアレイＬＥＤ、第２の整流回路１２Ｂを介して第４の端子４に流れ、第３の端子３から入力した電流は、第２の整流回路１２Ｂ、ＬＥＤアレイＬＥＤ、第１の整流回路１２Ａ、第２のリレースイッチＲＹ３を介して第２の端子２に流れるように電流経路が形成されている。
【００３７】
ここで、リレーコイルＲＹ１の両端には動作電圧以上の電圧が印加されるため、リレーコイルＹＲ１は第１のリレースイッチＲＹ２と第２のリレースイッチＲＹ３とをＯＮさせる。従って、この場合直管形ＬＥＤランプ１０は発光する。
【００３８】
（２）一方の口金の端子がソケットに差し込まれ、他方の端子はソケットに差し込まれていない場合。
【００３９】
この場合、リレーコイルＲＹ１に動作電圧以上の電圧が印加されない。従って、第１のリレースイッチＲＹ２及び第２のリレースイッチＲＹ３はＯＮされず、電流は流れない。従って、ランプ交換時の安全性を高めることができる。
【００４０】
（インバータ方式）
図６は、インバータ方式の場合の電流経路を示す図である。図６に示すように、インバータ方式の場合、第１の端子１、第２の端子２、第３の端子３、及び第４の端子４に対して給電される。
【００４１】
第１のコンデンサＣ１及び第２のコンデンサＣ２は、直流成分をカットし、インバータ安定器の高周波の出力を通す。第１のコンデンサＣ１及び第２のコンデンサＣ２の容量は、商用周波数では感電しない容量を設定する。
【００４２】
（１）両方の口金が正しくソケットに差し込まれた場合。
【００４３】
第１の端子１から入力した電流は、第１のリレースイッチＲＹ１、第１の整流回路１２Ａ、ＬＥＤアレイＬＥＤ、第２の整流回路１２Ｂを介して第４の端子４に流れ、第３の端子３から入力した電流は、第２の整流回路１２Ｂ、ＬＥＤアレイＬＥＤ、第１の整流回路１２Ａ、第２のリレースイッチＲＹ３を介して第２の端子２に流れるように電流経路が形成されている。また、第１のコンデンサＣ１及び第２のコンデンサＣ２は、直流成分をカットし、インバータ安定器の高周波の出力を通す。
【００４４】
ここで、リレーコイルＲＹ１の両端には動作電圧以上の電圧が印加されるため、リレーコイルＹＲ１は第１のリレースイッチＲＹ２と第２のリレースイッチＲＹ３とをＯＮさせる。従って、この場合直管形ＬＥＤランプ１０は発光する。
【００４５】
（２）一方の口金の端子がソケットに差し込まれ、他方の端子はソケットに差し込まれていない場合。
【００４６】
この場合、リレーコイルＲＹ１に動作電圧以上の電圧が印加されない。従って、第１のリレースイッチＲＹ２及び第２のリレースイッチＲＹ３はＯＮされず、電流は流れない。従って、ランプ交換時の安全性を高めることができる。
【００４７】
以上述べたように、本実施形態の直管形ＬＥＤランプ１０は、長手方向の一端に設けられる一方の端子と、長手方向の他端に設けられる他方の端子と、一方の端子から入力した入力電流を整流する整流回路と、整流された電流によって発光するＬＥＤと、一方の端子と他方の端子の間に設けられ、所定の電圧が印加された場合に通電し、所定の電圧未満の電圧が印加された場合電流を制限する通電制御回路と、を備える。
【００４８】
従って、回路規模の拡大やコスト増大の問題を抑制しつつランプ交換時の安全性を高めることができるという効果がある。
【００４９】
（第２の実施形態）
本実施形態の直管形ＬＥＤランプ１０は、第１の実施形態の直管形ＬＥＤランプ１０が通電制御回路として電流制限素子Ｚ１及びリレーを備えるのに対し、電流制限素子Ｚ１又はリレーのいずれか一方だけを備える。
【００５０】
蛍光灯用安定器がグロー方式の場合、直管形ＬＥＤランプ１０は通電制御回路として電流制限素子Ｚ１のみを備え、ラピッド方式の場合は通電制御回路としてリレーのみを備える。蛍光灯用安定器がインバータ方式の場合は、通電制御回路としてリレー及び第１のコンデンサＣ１及び第２のコンデンサＣ２を備える。
【００５１】
（ラピッド方式用の直管形ＬＥＤランプの場合）
図７は、本実施形態のラピッド方式用の直管形ＬＥＤランプ１０の回路構成を示す図である。図７に示すように、直管形ＬＥＤランプ１０は、第１の端子１及び第２の端子２を備える第１の口金１１Ａと、第３の端子３及び第４の端子４を備える第２の口金１１Ｂと、を備える。
【００５２】
また、直管形ＬＥＤ１０は、リレーと、第１の整流回路１２Ａと、第２の整流回路１２Ｂと、ＬＥＤアレイＬＥＤと、を備える。
【００５３】
リレーは、リレーコイルＲＹ１の一端が第１の端子１に接続され、他端が第２の端子２に接続される。第１のリレースイッチＲＹ２が第１の端子１と第１の整流回路１２Ａとの間に設けられ、第２のリレースイッチＲＹ３が第２の端子２と第１の整流回路１２Ａとの間に設けられる。リレーコイルＲＹ１に通電されると第１のリレースイッチＲＹ２と、第２のリレースイッチＲＹ３がＯＮされ、通電が終了すると第１のリレースイッチＲＹ２と、第２のリレースイッチＲＹ３がＯＦＦされる。
【００５４】
第１の整流回路１２Ａは、例えばブリッジ回路を用いることができ、第１の端子１と、第２の端子２に接続される。第１の整流回路１２Ａの出力はＬＥＤアレイＬＥＤのアノードに接続される。
【００５５】
第２の整流回路１２Ｂは、例えばブリッジ回路を用いることができ、第３の端子３と、第４の端子４に接続される。第２の整流回路１２Ｂの出力はＬＥＤアレイＬＥＤのアノードに接続される。
【００５６】
ＬＥＤアレイＬＥＤのカソードは、第１の整流回路１２Ａの入力及び第２の整流回路１２Ｂの入力に接続される。
【００５７】
次に、本実施形態の直管形ＬＥＤランプ１０の動作について説明する。
【００５８】
（１）両方の口金が正しくソケットに差し込まれた場合。
【００５９】
図８は、直管形ＬＥＤランプ１０の両方の口金が正しくソケットに差し込まれた場合を示す図である。
【００６０】
図８に示すように、第１の端子１から入力した電流は、第１のリレースイッチＲＹ１、第１の整流回路１２Ａ、ＬＥＤアレイＬＥＤ、第２の整流回路１２Ｂを介して第４の端子４に流れ、第３の端子３から入力した電流は、第２の整流回路１２Ｂ、ＬＥＤアレイＬＥＤ、第１の整流回路１２Ａ、第２のリレースイッチＲＹ３を介して第２の端子２に流れるように電流経路が形成されている。
【００６１】
ここで、リレーコイルＲＹ１の両端には動作電圧以上の電圧が印加されるため、リレーコイルＹＲ１は第１のリレースイッチＲＹ２と第２のリレースイッチＲＹ３とをＯＮさせる。従って、この場合直管形ＬＥＤランプ１０は発光する。
【００６２】
（２）一方の口金の端子がソケットに差し込まれ、他方の端子はソケットに差し込まれていない場合。
【００６３】
この場合、リレーコイルＲＹ１に動作電圧以上の電圧が印加されない。従って、第１のリレースイッチＲＹ２及び第２のリレースイッチＲＹ３はＯＮされず、電流は流れない。従って、感電を防止することができる。
【００６４】
（グロー方式用の直管形ＬＥＤランプの場合）
直管形ＬＥＤ１０は、第１の端子１及び第２の端子２を備える第１の口金１１Ａと、第３の端子３及び第４の端子４を備える第２の口金１１Ｂと、を備える。
【００６５】
また、直管形ＬＥＤ１０は、電流制限素子Ｚ１と、第１の整流回路１２Ａと、第２の整流回路１２Ｂと、ＬＥＤアレイＬＥＤと、を備える。
【００６６】
電流制限素子Ｚ１は、一端が第１の端子１に接続され、他端が第２の端子２に接続される。電流制限素子Ｚ１は、所定の電圧である閾値電圧Ｚ以上の電圧が印加されると電流を流す素子である。電流制限素子Ｚ１は、例えば新電元工業株式会社製のサイダック（登録商標）を使用することができる。
【００６７】
閾値電圧Ｚは、閾値電圧Ｚ＞端子を介して人に電流が流れる場合の電圧、の関係を満たす値である。
【００６８】
第１の整流回路１２Ａは、例えばブリッジ回路を用いることができ、第１の端子１と、第２の端子２に接続される。第１の整流回路１２Ａの出力はＬＥＤアレイＬＥＤのアノードに接続される。
【００６９】
第２の整流回路１２Ｂは、例えばブリッジ回路を用いることができ、第３の端子３と、第４の端子４に接続される。第２の整流回路１２Ｂの出力はＬＥＤアレイＬＥＤのアノードに接続される。
【００７０】
ＬＥＤアレイＬＥＤのカソードは、第１の整流回路１２Ａの入力及び第２の整流回路１２Ｂの入力に接続される。
【００７１】
第２の端子２と第３の端子３との間にはグローランプのソケットに装着され、第２の端子２と第３の端子３とをショートするアタッチメントＧが設けられる。
【００７２】
次に、本実施形態の直管形ＬＥＤランプ１０の動作について説明する。
【００７３】
グロー方式の場合、電流は第１の口金１１Ａのいずれかの端子と、第２の口金１１Ｂのいずれかの端子に供給される。ここでは、第１の端子１から第４の端子４に電流が流れる場合を例に説明する。
【００７４】
（１）両方の口金が正しくソケットに差し込まれた場合。
【００７５】
第１の端子１から入力した電流は、電流制限素子Ｚ１に流れる。ここで、入力電圧が閾値電圧Ｚより大きくなるように閾値電圧Ｚが選択されるため、電流制限素子Ｚ１は電流を流す。この電流はアタッチメントＧを介して第２の整流回路１２ＢからＬＥＤアレイＬＥＤのアノードに流れる。ＬＥＤアレイＬＥＤのカソードから出力した電流は第２の整流回路１２Ｂを介して第４の端子４に至る。従って、この場合直管形ＬＥＤランプ１０は発光する。
【００７６】
（２）一方の口金の端子がソケットに差し込まれ、他方の端子はソケットに差し込まれていない場合。
【００７７】
この場合、電流制限素子Ｚ１に閾値電圧未満の電圧しかかからないため、電流制限素子Ｚ１は電流を流さない。従って、感電を防止することができる。
【００７８】
（グロー方式用の直管形ＬＥＤランプの応用例の場合）
図９は、グロー方式用の直管形ＬＥＤランプの応用例を示す図である。図９に示すように、グロー方式の安定器やＡＣ直結接続を行う場合など、入力が２つの端子にて行われる場合には、通電制御回路としてのリレーと、第１の抵抗Ｒ１乃至第４の抵抗Ｒ４を用いる。
【００７９】
直管形ＬＥＤランプ１０は、第１の端子１及び第２の端子２を備える第１の口金１１Ａと、第３の端子３及び第４の端子４を備える第２の口金１１Ｂと、を備える。
【００８０】
また、直管形ＬＥＤ１０は、リレーと、第１の整流回路１２Ａと、第２の整流回路１２Ｂと、ＬＥＤアレイＬＥＤと、第１の抵抗Ｒ１乃至第４の抵抗Ｒ４と、を備える。
【００８１】
第１の抵抗Ｒ１は第１の端子１と第３の端子３とを接続し、第２の抵抗Ｒ２は第１の端子１及び第４の端子４を接続し、第３の抵抗Ｒ３は第２の端子２及び第３の端子３を接続し、第４の抵抗Ｒ４は第２の端子２及び第４の端子４を接続する。
【００８２】
リレーは、リレーコイルＲＹ１の一端が第１の端子１に接続され、他端が第２の端子２に接続される。第１のリレースイッチＲＹ２が第１の端子１と第１の整流回路１２Ａとの間に設けられ、第２のリレースイッチＲＹ３が第２の端子２と第１の整流回路１２Ａとの間に設けられる。リレーコイルＲＹ１に通電されると第１のリレースイッチＲＹ２と、第２のリレースイッチＲＹ３がＯＮされ、通電が終了すると第１のリレースイッチＲＹ２と、第２のリレースイッチＲＹ３がＯＦＦされる。
【００８３】
第１の整流回路１２Ａは、例えばブリッジ回路を用いることができ、第１の端子１と、第２の端子２に接続される。第１の整流回路１２Ａの出力はＬＥＤアレイＬＥＤのアノードに接続される。
【００８４】
第２の整流回路１２Ｂは、例えばブリッジ回路を用いることができ、第３の端子３と、第４の端子４に接続される。第２の整流回路１２Ｂの出力はＬＥＤアレイＬＥＤのアノードに接続される。
【００８５】
ＬＥＤアレイＬＥＤのカソードは、第１の整流回路１２Ａの入力及び第２の整流回路１２Ｂの入力に接続される。
【００８６】
次に、本実施形態の直管形ＬＥＤランプ１０の動作について説明する。
【００８７】
（１）両方の口金が正しくソケットに差し込まれた場合。
【００８８】
入力電流が第１の端子１から供給され、第４の端子４から出力する場合を例に説明する。第１の端子１から入力した電流は、第１の抵抗Ｒ１を介して第２の整流回路１２Ｂ、ＬＥＤアレイＬＥＤ、第２の整流回路１２Ｂを介して第４の端子４に流れるように電流経路が形成されている。
【００８９】
ここで、リレーコイルＲＹ１の両端には動作電圧以上の電圧が印加されるため、リレーコイルＹＲ１は第１のリレースイッチＲＹ２と第２のリレースイッチＲＹ３とをＯＮさせる。従って、この場合直管形ＬＥＤランプ１０は発光する。
【００９０】
（２）一方の口金の端子がソケットに差し込まれ、他方の端子はソケットに差し込まれていない場合。
【００９１】
この場合、リレーコイルＲＹ１に動作電圧以上の電圧が印加されない。従って、第１のリレースイッチＲＹ２及び第２のリレースイッチＲＹ３はＯＮされず、電流は流れない。従って、感電を防止することができる。
【００９２】
（インバータ方式用の直管形ＬＥＤランプの場合）
直管形ＬＥＤ１０は、第１の端子１及び第２の端子２を備える第１の口金１１Ａと、第３の端子３及び第４の端子４を備える第２の口金１１Ｂと、を備える。
【００９３】
また、直管形ＬＥＤ１０は、通電制御回路としてのリレーと、第１のコンデンサＣ１と、第２のコンデンサＣ２と、第１の整流回路１２Ａと、第２の整流回路１２Ｂと、ＬＥＤアレイＬＥＤと、を備える。
【００９４】
リレーは、リレーコイルＲＹ１が電流制限素子Ｚ１と並列に接続され、第１のリレースイッチＲＹ２が第１の端子１と第１の整流回路１２Ａとの間に設けられ、第２のリレースイッチＲＹ３が第２の端子２と第１の整流回路１２Ａとの間に設けられる。リレーコイルＲＹ１に通電されると第１のリレースイッチＲＹ２と、第２のリレースイッチＲＹ３がＯＮされ、通電が終了すると第１のリレースイッチＲＹ２と、第２のリレースイッチＲＹ３がＯＦＦされる。
【００９５】
第１のコンデンサＣ１は第１のリレースイッチＲＹ２と並列に、第２のコンデンサＣ２は第２のリレースイッチＲＹ３と並列に接続される。
【００９６】
第１の整流回路１２Ａは、例えばブリッジ回路を用いることができ、第１の端子１と、第２の端子２に接続される。第１の整流回路１２Ａの出力はＬＥＤアレイＬＥＤのアノードに接続される。
【００９７】
第２の整流回路１２Ｂは、例えばブリッジ回路を用いることができ、第３の端子３と、第４の端子４に接続される。第２の整流回路１２Ｂの出力はＬＥＤアレイＬＥＤのアノードに接続される。
【００９８】
ＬＥＤアレイＬＥＤのカソードは、第１の整流回路１２Ａの入力及び第２の整流回路１２Ｂの入力に接続される。
【００９９】
第１のコンデンサＣ１及び第２のコンデンサＣ２は、直流成分をカットし、インバータ安定器の高周波の出力を通す。第１のコンデンサＣ１及び第２のコンデンサＣ２の容量は、商用周波数では感電しない容量を設定する。
【０１００】
（１）両方の口金が正しくソケットに差し込まれた場合。
【０１０１】
第１の端子１から入力した電流は、第１のリレースイッチＲＹ１、第１の整流回路１２Ａ、ＬＥＤアレイＬＥＤ、第２の整流回路１２Ｂを介して第４の端子４に流れ、第３の端子３から入力した電流は、第２の整流回路１２Ｂ、ＬＥＤアレイＬＥＤ、第１の整流回路１２Ａ、第２のリレースイッチＲＹ３を介して第２の端子２に流れる電流経路が形成されている。また、第１のコンデンサＣ１及び第２のコンデンサＣ２は、直流成分をカットし、インバータ安定器の高周波の出力を通す。
【０１０２】
ここで、リレーコイルＲＹ１の両端には動作電圧以上の電圧が印加されるため、リレーコイルＹＲ１は第１のリレースイッチＲＹ２と第２のリレースイッチＲＹ３とをＯＮさせる。従って、この場合直管形ＬＥＤランプ１０は発光する。
【０１０３】
（２）一方の口金の端子がソケットに差し込まれ、他方の端子はソケットに差し込まれていない場合。
【０１０４】
この場合、リレーコイルＲＹ１に動作電圧以上の電圧が印加されない。従って、第１のリレースイッチＲＹ２及び第２のリレースイッチＲＹ３はＯＮされず、電流は流れない。従って、感電を防止することができる。
【０１０５】
本実施形態の直管形ＬＥＤランプ１０は、通電制御回路として電流制限素子Ｚ１又はリレーのいずれか一方だけを備える。
【０１０６】
従って、より安価に製造できる直管形ＬＥＤランプ１０を提供することができる。
【０１０７】
（第３の実施形態）
図１０は、本実施形態のグロー方式用の直管形ＬＥＤランプの応用例を示す図である。図１０に示すように、グロー方式の安定器やＡＣ直結接続を行う場合など、入力が２つの端子にて行われる場合には、リレーと、第１の抵抗乃至第４の抵抗Ｒ５と、第１のフォトカプラ１５Ａ及び第２のフォトカプラ１５Ｂと、を用いる。
【０１０８】
直管形ＬＥＤランプ１０は、第１の端子１及び第２の端子２を備える第１の口金１１Ａと、第３の端子３及び第４の端子４を備える第２の口金１１Ｂと、を備える。
【０１０９】
また、直管形ＬＥＤ１０は、通電制御回路としてのリレー及び第１のフォトカプラ１５Ａ及び第２のフォトカプラ１５Ｂと、第１の整流回路１２Ａと、第２の整流回路１２Ｂと、ＬＥＤアレイＬＥＤと、第１の抵抗乃至第４の抵抗Ｒ５と、を備える。
【０１１０】
第１の抵抗は第１の端子１と第３の端子３とを接続し、第２の抵抗は第１の端子１及び第４の端子４を接続し、第３の抵抗は第２の端子２及び第３の端子３を接続し、第４の抵抗は第２の端子２及び第４の端子４を接続する。
【０１１１】
第１のフォトカプラ１５Ａ及び第２のフォトカプラ１５Ｂは、発光素子と、受光スイッチと、を備える。発光素子は所定以上の電圧が印加された場合に発光する。受光スイッチは、発光素子の光を受光した場合にスイッチを短絡させ、通電させる。
【０１１２】
第１のフォトカプラ１５Ａは、第１の発光素子の一方の端子が第５の抵抗Ｒ６を介して第１の端子１に接続し、他方の端子が第２の端子２に接続し、第１の受光スイッチの一方の端子は第６の抵抗Ｒ７を介して第１の端子１に接続し、他方の端子がリレーコイルＲＹ４の入力端子に接続する。
【０１１３】
第２のフォトカプラ１５Ｂは、第２の発光素子の一方の端子が第７の抵抗Ｒ８を介して第３の端子３に接続し、他方の端子が第４の端子４に接続し、第２の受光スイッチの一方の端子はリレーコイルＲＹ４の出力端子に接続し、他方の端子がダイオード１７、第２の整流回路１６Ｂを介して第４の端子４に接続する。
【０１１４】
第１のリレースイッチＲＹ４Ａが第１の端子１と第１の整流回路１６Ａとの間に設けられ、第２のリレースイッチＲＹ４Ｂが第２の端子２と第１の整流回路１６Ａとの間に設けられる。リレーコイルＲＹ４に通電されると第１のリレースイッチＲＹ４Ａと、第２のリレースイッチＲＹ４ＢがＯＮされ、通電が終了すると第１のリレースイッチＲＹ４Ａと、第２のリレースイッチＲＹ４ＢがＯＦＦされる。
【０１１５】
第１の整流回路１６Ａは、例えばブリッジ回路を用いることができ、第１の端子１と、第２の端子２に接続される。第１の整流回路１６Ａの出力はＬＥＤアレイＬＥＤのアノードに接続される。
【０１１６】
第２の整流回路１６Ｂは、例えばブリッジ回路を用いることができ、第３の端子３と、第４の端子４に接続される。第２の整流回路１６Ｂの出力はＬＥＤアレイＬＥＤのアノードに接続される。
【０１１７】
ＬＥＤアレイＬＥＤのカソードは、第１の整流回路１６Ａの入力及び第２の整流回路１６Ｂの入力に接続される。
【０１１８】
次に、本実施形態の直管形ＬＥＤランプ１０の動作について説明する。
【０１１９】
（１）両方の口金が正しくソケットに差し込まれた場合。
【０１２０】
入力電流が第１の端子１から供給され、第４の端子４から出力する場合を例に説明する。第１の端子１から入力した電流は、第１の抵抗Ｒ１を介して第２の整流回路１６Ｂ、ＬＥＤアレイＬＥＤ、第２の整流回路１６Ｂを介して第４の端子４に流れるように電流経路が形成されている。
【０１２１】
ここで、第１のフォトカプラ１５Ａの第１の発光素子と第２のフォトカプラ１５Ｂの第２の発光素子には所定電圧以上の電圧が印加され、各発光素子は発光する。各発光素子が発光すると第１の受光スイッチ及び第２の受光スイッチが短絡し、リレーコイルＲＹ４への通電が開始される。リレーコイルＲＹ４に通電が開始されると、リレースイッチＲＹ４Ａ及びリレースイッチＲＹ４ＢがＯＮされる。従って、この場合直管形ＬＥＤランプ１０は発光する。
【０１２２】
（２）一方の口金の端子がソケットに差し込まれ、他方の端子はソケットに差し込まれていない場合。
【０１２３】
この場合、第１のフォトカプラ１５Ａ又は第２のフォトカプラ１５Ｂのいずれか一方の発光素子に所定電圧以上の出圧が印加されない。従って、リレーコイルＲＹ４に動作電圧以上の電圧が印加されず、第１のリレースイッチＲＹ４Ａ又は第２のリレースイッチＲＹ４ＢがＯＮされないため、電流は流れない。従って、感電を防止することができる。
【０１２４】
以上述べたように、本実施形態の直管形ＬＥＤランプ１０は、通電制御回路として、整流回路への電流を規制するリレーと、このリレーのリレーコイルＲＹ４への通電を印加される電圧に基づいて規制する、長手方向の一端の二つの端子間に設けられる第１のフォトカプラ１５Ａ及び長手方向の他端の二つの端子間に設けられる第２のフォトカプラ１５Ｂと、を備える。
【０１２５】
従って、回路規模の拡大やコスト増大の問題を抑制しつつランプ交換時の安全性を高めることができる直管形ＬＥＤランプを提供することができるという効果がある。
【０１２６】
以上、本発明について、好ましい実施形態を挙げて説明したが、本発明の直管形ＬＥＤランプは上記実施形態の構成に限定されるものでない。
【０１２７】
当業者は、従来公知の知見に従い、本発明の直管形ＬＥＤランプを適宜改変することができる。このような改変によってもなお本発明の直管形ＬＥＤランプの構成を具備する限り、もちろん、本発明の範疇に含まれるものである。
【符号の説明】
【０１２８】
１  第１の端子
２  第２の端子
３  第３の端子
４  第４の端子
１２Ａ  第１の整流回路
１２Ｂ  第２の整流回路
１５Ａ  第１のフォトカプラ
１５Ｂ  第２のフォトカプラ
Ｃ１  第１のコンデンサ
Ｃ２  第２のコンデンサ
Ｇ  アタッチメント
ＬＥＤ  ＬＥＤアレイ
ＲＹ１  リレーコイル
ＲＹ２  第１のリレースイッチ
ＲＹ３  第２のリレースイッチ
Ｚ１  電流制限素子
【先行技術文献】
【特許文献】
【０１２９】
【特許文献１】特許第４９７６５７９号公報
【特許文献２】国際公開２０１２／０７０２７７号公報
【図１】
2016134195.tif 000003
【図２】
2016134195.tif 000004
【図３】
2016134195.tif 000005
【図４】
2016134195.tif 000006
【図５】
2016134195.tif 000007
【図６】
2016134195.tif 000008
【図７】
2016134195.tif 000009
【図８】
2016134195.tif 000010
【図９】
2016134195.tif 000011
【図１０】
2016134195.tif 000012